(57)【要約】【課題】ユーザが予め設定した放送を報知する放送受信装置において、操作性のよい放送受信装置を提供する。【解決手段】  液晶テレビは、受信部、制御部、映像処理部、ＬＣＤパネル、リモコン受光器、リモコンを備える。受信部は放送番組を受信すると共に電子番組表のデータを取得する。制御部は、キーワード設定処理、放送番組検索処理、放送番組表示処理を行うためのサブルーチンを含んでいる。キーワード設定処理は、予めキーワードの選択を受け付けて、キーワードを設定する。放送番組検索処理は、キーワードに合致する放送番組を電子番組表から検索して合致する放送番組が存在する旨のＯＳＤ画像を映像処理部に表示させる。放送番組が複数、存在する場合には、ループキー６１が押されるごとに、キーワードに合致する放送番組を受信部２に順番に選局するよう指示して、ＬＣＤパネル４にその放送番組を表示させる。【選択図】図３
2008227776.tif 000002
【特許請求の範囲】
【請求項１】
複数の放送番組を同時に受信して各々受信した放送番組の映像信号を出力すると共に、電子番組表を取得する受信手段を備えた放送受信装置において、
予め、放送番組のキーワードの設定を受け付ける設定手段と、
前記受信手段が出力した複数の放送番組の映像信号を親画面および前記親画面より小さい子画面で各々出力する親子画面出力手段と、
現在放送中の放送番組のうち、前記キーワードに関連する放送番組を前記電子番組表から検索する検索手段と、
前記検索手段が検索した、前記キーワードに関連する放送番組が１以上存在した場合には、その旨のＯＳＤ表示を現在出力している放送番組の映像信号に重ねて出力するＯＳＤ出力手段と、を備え、
前記親子画面表示手段は、現在親画面で出力中の放送番組の映像信号を前記親画面に出力すると共に、前記キーワードに対応する放送番組が１以上存在した場合には、前記子画面でその放送番組の映像信号を出力し、
前記受信手段は、前記検索手段が検索した前記キーワードに関連する放送番組が２以上存在した場合に、所定の操作入力を受け付け、この操作入力を受け付けるごとに、前記子画面に出力する放送番組の映像信号を前記キーワードに対応する放送のいずれかに順番に切り換えるものであり、
前記ＯＳＤ出力手段は、前記キーワードに関連する放送番組が存在した場合には、前記設定されたキーワードと当該存在した放送の名称、当該存在した放送の数を併せて出力する放送受信装置。
【請求項２】
放送番組を受信してその放送番組の映像信号を出力すると共に、電子番組表を取得する受信手段を備えた放送受信装置において、
予め、放送番組のキーワードの設定を受け付ける設定手段と、
現在放送中の放送番組のうち、前記キーワードに関連する放送番組を前記電子番組表から検索する検索手段と、
前記検索手段が検索した、前記キーワードに関連する放送番組が１以上存在した場合には、その旨のＯＳＤ表示を現在出力している放送番組の映像信号に重ねて出力するＯＳＤ出力手段と、を備え、
前記受信手段は、前記検索手段が検索した前記キーワードに関連する放送番組が１以上存在した場合に、所定の操作入力を受け付け、この操作入力を受け付けるごとに、前記放送番組の映像信号を前記キーワードに関連する放送番組のいずれかに順番に切り換えて出力する放送受信装置。
【請求項３】
複数の放送番組を同時に受信して各々受信した放送番組の映像信号を出力すると共に、電子番組表を取得する受信手段を備えた放送受信装置において、
予め、放送番組のキーワードの設定を受け付ける設定手段と、
前記受信手段が出力した複数の放送番組の映像信号を親画面および前記親画面より小さい子画面で各々出力する親子画面出力手段と、
前記検索手段が検索した、前記キーワードに関連する放送番組が１以上存在した場合には、その旨のＯＳＤ表示を現在出力している放送番組の映像信号に重ねて出力するＯＳＤ出力手段と、を備え、
前記親子画面表示手段は、現在親画面で出力中の放送番組の映像信号を前記親画面に出力すると共に、前記キーワードに関連する放送番組が１以上存在した場合には、前記子画面でその放送番組の映像信号を出力し、
前記受信手段は、前記検索手段が検索した前記キーワードに関連する放送が２以上存在した場合に、所定の操作入力を受け付け、この操作入力を受け付けるごとに、前記子画面に出力する放送番組の映像信号を前記キーワードに関連する放送番組のいずれかに順番に切り換える放送受信装置。
【請求項４】
前記ＯＳＤ出力手段は、前記キーワードに対応する放送番組が存在した場合には、前記設定されたキーワードと当該存在した放送番組の名称、当該存在した放送番組の数を併せて表示する請求項２、３のいずれかに記載の放送受信装置。
【発明の詳細な説明】
【技術分野】
【０００１】
本発明は、放送を受信する放送受信装置に関する。
【背景技術】
【０００２】
従来、放送と併せて電子番組表（以下ＥＰＧ（Electronic Program Guide）という。）を受信する放送受信装置が実用化されている。
特許文献１には、予め視聴したい放送の選局条件を設定し、選局条件に合致した放送を自動選局する放送受信装置が開示されている。また、この特許文献には、選局条件に合致する放送が複数あるときは、その旨を表示して視聴する放送視聴しない放送の選択を促す旨の記載がある。また、この特許文献には、子画面で映像を表示する旨の記載がある。
【特許文献１】特開２００２−８４４６９公報
【発明の開示】
【発明が解決しようとする課題】
【０００３】
しかしながら、選局条件に合致する放送番組が複数あるときに、特許文献１のように選択を促す構成とすると、選択して決定ボタンを押すなどのわずらわしい操作が必要であった。
【０００４】
そこで、本発明は、ユーザが予め設定した放送を報知する放送受信装置において、操作性のよい放送受信装置を提供することを目的とする。
【課題を解決するための手段】
【０００５】
本発明は、上述の課題を解決するための手段を以下のように構成している。
【０００６】
（１）  放送番組を受信してその放送番組の映像信号を出力すると共に、電子番組表を取得する受信手段を備えた放送受信装置において、
予め、放送番組のキーワードの設定を受け付ける設定手段と、
現在放送中の放送番組のうち、前記キーワードに関連する放送番組を前記電子番組表から検索する検索手段と、
前記検索手段が検索した、前記キーワードに関連する放送番組が１以上存在した場合には、その旨のＯＳＤ表示を現在出力している放送番組の映像信号に重ねて出力するＯＳＤ出力手段と、を備え、
前記受信手段は、前記検索手段が検索した前記キーワードに関連する放送番組が１以上存在した場合に、所定の操作入力を受け付け、この操作入力を受け付けるごとに、前記放送番組の映像信号を前記キーワードに関連する放送番組のいずれかに順番に切り換えて出力する。
【０００７】
この構成では、１つのボタンを押すごとに、ユーザは、キーワードに合致する放送番組を子画面で順番に閲覧できる。したがって、選択して決定ボタンを押すなどのわずらわしい操作が不要になり、ユーザが設定したキーワードに合致する所望の放送に容易に切り換えることができる。
【０００８】
（２）  複数の放送番組を同時に受信して各々受信した放送番組の映像信号を出力すると共に、電子番組表を取得する受信手段を備えた放送受信装置において、
予め、放送番組のキーワードの設定を受け付ける設定手段と、
前記受信手段が出力した複数の放送番組の映像信号を親画面および前記親画面より小さい子画面で各々出力する親子画面出力手段と、
前記検索手段が検索した、前記キーワードに関連する放送番組が１以上存在した場合には、その旨のＯＳＤ表示を現在出力している放送番組の映像信号に重ねて出力するＯＳＤ出力手段と、を備え、
前記親子画面表示手段は、現在親画面で出力中の放送番組の映像信号を前記親画面に出力すると共に、前記キーワードに関連する放送番組が１以上存在した場合には、前記子画面でその放送番組の映像信号を出力し、
前記受信手段は、前記検索手段が検索した前記キーワードに関連する放送が２以上存在した場合に、所定の操作入力を受け付け、この操作入力を受け付けるごとに、前記子画面に出力する放送番組の映像信号を前記キーワードに関連する放送番組のいずれかに順番に切り換える。
【０００９】
放送受信装置が、この装置に設定されたキーワードに合致する放送番組をＯＳＤ表示などにより知らせたとしても、ユーザは、必ずしも見ない可能性がある。この構成では、親子画面表示手段が、今までユーザが視聴していた放送番組を親画面で表示すると共に、子画面でキーワードに合致する放送番組を表示する。したがって、ユーザの放送番組の視聴を邪魔することがない。また、受信手段は、所定の操作入力を受け付け、この操作入力を受け付けるごとに、前記受信手段が子画面に出力する映像信号を前記キーワードに対応する放送番組のいずれかに順番に切り換える。したがって、この構成では、１つのボタンを押すごとに、ユーザは、キーワードに合致する放送番組を子画面で順番に閲覧できる。したがって、選択して決定ボタンを押すなどのわずらわしい操作が不要になり、ユーザが設定した所望の放送に容易に切り換えることができる。
【００１０】
（３）  前記ＯＳＤ出力手段は、前記キーワードに対応する放送番組が存在した場合には、前記設定されたキーワードと当該存在した放送番組の名称、当該存在した放送番組の数を併せて表示する。
【００１１】
この構成では、前記設定されたキーワードと当該存在した放送番組の名称、当該存在した放送番組の数を併せて表示する。したがって、ユーザはどのような放送番組があるか把握でき、選択しやすくなる。
【発明の効果】
【００１２】
本発明の放送受信装置によれば、ユーザが設定した所望の放送番組に容易に切り換えることができる。
【発明を実施するための最良の形態】
【００１３】
図１を用いて、本発明の第１の実施形態の液晶テレビ１について説明する。液晶テレビ１は、受信部２、制御部３、ＬＣＤパネル４、リモコン受光器５、リモコン受光器６を備える。受信部２は、選局部、映像受信部、音声受信部を備える。選局部は、アンテナ１０１で受信したテレビ信号の中から、希望する受信チャンネルの信号を取り出し、中間周波数信号に変換する。映像受信部は、中間周波数信号を増幅し、映像中間周波数信号、音声中間周波数信号に分離する。また、映像中間周波数信号からカラー映像信号を取り出す。
【００１４】
制御部３は、ＣＰＵ３０、メモリ３１、ＲＯＭ３２等を備える。ＣＰＵ３０は、各種の演算を行い、サブルーチンを実行し、各部を制御する。制御部３は、本発明の制御手段に相当する。ＲＯＭ３２には、制御情報や、ＣＰＵ３０が実行するサブルーチンが記録されている。例えば、ＲＯＭ３２には、後述するキーワード設定処理、放送番組検索処理、放送番組表示処理を行うためのサブルーチンが記録されている。また、メモリは、ＣＰＵ３０が行った演算結果を一時的に記憶する。
【００１５】
映像処理部３３は、図示しない色信号再生部、同期検出部、表示データ生成部、同期検出回路、フレームメモリを備える。色信号再生部は、カラー映像信号から色信号を取り出し、ＲＧＢの３原色信号を生成する。同期検出部は、カラー映像信号から水平同期信号、垂直同期信号を取り出す。表示データ生成部は、３原色信号をＡ／Ｄ変換し、水平同期信号、垂直同期信号に基づいて、映像処理部３３内のフレームメモリに記憶する。
【００１６】
また、映像処理部３３は、テレビ信号からＥＰＧ（電子番組表）データを取り出して、メモリ３１に記憶させる。また、映像処理部３３は、ＯＳＤ合成部を備える。ＯＳＤ合成部は、液晶テレビ１の状態等を表す文字図形等のＯＳＤ画像（On Screen Display）を生成し、メモリ３１に記憶した映像信号と合成し、ＬＣＤパネル４に出力する。
【００１７】
ＬＣＤパネル４は、２枚の透明板と、その中に入れられた液晶と、液晶の各画素に所定の電圧を印加するドライバーＩＣ等を備え、各画素に印加された電圧に応じて光の透過率を変えて、所望の画像を出力する。
【００１８】
リモコン受光器５は、リモコン６から赤外線信号を受け付け制御部３に出力する。ＣＰＵ３０は、赤外線信号を受け付けた場合には、どの信号かを判断して、この信号に対応する所定のサブルーチンを実行する。
【００１９】
なお、制御部３、映像処理部３３は、１つのマイコンとして構成してもよい。
【００２０】
リモコン６は、複数の操作子と赤外線発光素子を備え、リモコン受光器５に赤外線信号を送信する。操作子として、モードキー６０、ループキー６１を備えている。
【００２１】
以下、図２〜図５を用いて、制御部３が実行するキーワード設定処理、放送番組検索処理、放送番組表示処理について説明する。この実施形態の液晶テレビ１は、キーワード設定処理により予めキーワードが定められている。キーワードに合致する放送番組がある場合には、ユーザにその旨表示する。
【００２２】
図２を用いて、キーワード設定処理のフロー図について説明する。
ＳＴ１で、リモコン６のモードキー６０のキー入力がされたか判断する。制御部３のＣＰＵ３０は、キー入力がされた場合にどの入力がされたか判断する。ＣＰＵ３０は、キーワード設定処理については、モードキー６０のキー入力がされるまで待機し、このキー入力がされたときは、ＳＴ２以降の処理を実行する。キーワードとして、たとえば、映画、教育、ドラマ、野球などのジャンルを予め画面に表示させて選択を受け付けてもよいし、キーワードを直接入力してもよい。また、ＥＰＧ（電子番組表）を表示して選択を受け付けてもよい。
ＳＴ２で、リモコン６の図示しない操作子からキーワードの選択を受け付け、この選択があったかどうか判断する。キーワードの設定がない場合には、この処理は待機状態となる。
ＳＴ３で、決定キー６３のキー入力がされたか判断する。決定キー６３のキー入力がない限り（ＳＴ３のＮＯ）、ＳＴ２のキーワード選択を受け付ける。決定キー６３のキー入力があった場合には（ＳＴ３のＹＥＳ）、ＳＴ４において、ＳＴ２で記録したキーワード選択の設定をメモリ３１に記憶させる。
【００２３】
次に、図３を用いて、放送番組検索処理、放送番組表示処理について説明する。これらの処理は、キーワード設定処理により予め設定されたキーワードと合致する放送番組が放映されている場合に行う処理である。また、図３は、放送番組表示処理におけるＬＣＤパネル４の表示例である。
【００２４】
図３の説明の前提として、液晶テレビ１の起動時等の際に、予め映像処理部３３は、電子番組表のデータを取り出して、メモリ３１がこのデータを記憶しているものとする。また、キーワード設定処理により「映画」が予め設定されていたとする。
【００２５】
図３（Ａ）は、放送番組検索処理を行った場合の表示例を示している。図３（Ａ）に示すように、制御部３は、現在画面上に出力していない放送番組で、キーワード「映画」に合致する放送番組が放映されている旨のＯＳＤ画像を出力する。例えば、「キーワード「映画」に２件ヒットしました。「タイタニック」、「００７」」と表示する。
【００２６】
図３（Ｂ）、図３（Ｃ）は、放送番組表示処理を行った場合の表示例を示している。図３（Ａ）の状態から、リモコン６のループキー６１のキー入力がされると、制御部３は、図３（Ａ）で示したキーワードに合致する候補のうちの１つの放送（図２の例では、「タイタニック」）を選局するように受信部２に指示する。これにより、例えば、図３（Ｂ）に示すような放送番組が出力される。制御部３は、この指示の際に、ＥＰＧを参照して指示すべきチャンネルを選択する。また、制御部３は、ＯＳＤ出力部がこの候補のうちの１つを囲むなどしてハイライト表示するよう指示する。
【００２７】
図３（Ｂ）の状態から、さらに、リモコン６のループキー６１のキー入力がされると、図３（Ｃ）に示すように、制御部３は、「タイタニック」とは別の「００７」を選局するよう受信部２に指示する。また、制御部３は、ＯＳＤ出力部がこの候補のうちの「タイタニック」を囲むなどしてハイライト表示するよう指示する。
【００２８】
図３（Ｃ）の状態から、さらに、リモコン６のループキー６１のキー入力がされると、図３（Ｄ）に示すように、制御部３は、「タイタニック」、「００７」とは別の「宝島」を選局するよう受信部２に指示する。また、制御部３は、「宝島」を囲むなどしてハイライト表示するよう指示する。
【００２９】
図３（Ｄ）の表示の後、さらにループキー６１のキー入力がされると、図３（Ｂ）に示すように、制御部３は、「タイタニック」を選局するよう指示する。
【００３０】
なお、図３の例では、放送番組がキーワードに２つ合致する例を示したが、合致する放送番組が他にもある場合には、順番にキーワードに合致する放送番組を選局するよう、受信部２に指示する。この場合、キーワードに合致する放送番組を順番にすべて表示した場合に、さらにループキー６１のキー入力がされると、キーワードに合致する放送番組のうち、最初に表示した放送番組に戻る。その後、ループキー６１のキー入力がされる度に、順番にキーワードに合致する放送番組を選局する。
【００３１】
図４を用いて、図３で示したキーワード検索処理のサブルーチンのフロー図について説明する。このフローの実行は、図２のキーワード設定処理により予めキーワードが設定されていることが前提となる。
ＳＴ１１で、予め電子番組表を受信する。電子番組表の受信は、液晶テレビ１の起動時に行っても良いし、所定時間ごとに行っても良いし、ユーザの指示により行っても良い。
ＳＴ１２で、受信した電子番組表で、現在放送されている番組を検出し、その中から、キーワード検索処理で設定されたキーワードに合致する放送番組を検索する。図３の例であれば、「タイタニック」、「００７」、「宝島」を検索する。
【００３２】
ＳＴ１３で、制御部３は、ＳＴ１２で検索した放送番組が存在するかどうか判断する。ＳＴ１２で検索した放送番組が存在する場合には（ＳＴ１３のＹＥＳ）、ＳＴ１４で、キーワードに合致する放送番組が存在する旨、キーワードに合致する放送番組を表示する。キーワードに合致する放送番組の数を表示してもよい。その後、フローは、終了する。
【００３３】
ＳＴ１２で検索した放送番組が存在しない場合には（ＳＴ１３のＮＯ）、フローは、終了する。なお、以上のフローを、所定時間ごと、例えば３０分ごとに実行する。なお、図２で示したフロー図の段階と同様に、予めＳＴ１２を行う時間間隔の設定を受け付けてもよい。
【００３４】
次に図５のフロー図を用いて、放送番組表示処理について説明する。放送番組表示処理は、図４で示したキーワード検索処理のＳＴ１４が実行されたことが前提となる。
【００３５】
ＳＴ２１で、ループキー６１のキー入力を受け付ける。ループキー６１のキー入力がない限り（ＳＴ２１のＮＯ）、この処理は待機状態となる。ループキー６１のキー入力を受け付けた場合には、ＳＴ２２以下の処理を行う。
ＳＴ２２で、キーワードに合致する放送番組（これを放送番組１とする。）を受信するよう受信部２に指示する。これによりＬＣＤパネル４は、例えば、図３（Ｂ）のように画面を表示する。
ＳＴ２３で、ループキー６１のキー入力を受け付ける。ループキー６１のキー入力がない限り（ＳＴ２３のＮＯ）、この処理は待機状態となる。ループキー６１のキー入力を受け付けた場合には（ＳＴ２３のＹＥＳ）、ＳＴ２４以下の処理を行う。
ＳＴ２４で、キーワードに合致する放送番組１以外の放送番組があるかどうか判断する。キーワードに合致する放送番組１以外の放送番組がある場合には（ＳＴ２４のＹＥＳ）、ＳＴ２５１に移動する。キーワードに合致する放送番組１以外の放送番組がない場合に（ＳＴのＮＯ）は、このフローは終了する。
【００３６】
ここで、以下の説明では、キーワードに合致する放送番組１以外の放送番組がある場合、放送番組に番号を付けて番号ｋ＝１〜Ｎとして説明する（なお、ｋ＝１は、放送番組１に対応する。）。
ＳＴ２５で、放送番組１以外の放送番組があれば、放送番組の番号ｋをインクリメントする。ＳＴ２４から初めてＳＴ２５を実行する場合には、この番号ｋは２になる。
ＳＴ２６で、放送番組１以外の別の放送番組（番号ｋ）を選局するよう受信部２に指示する。
ＳＴ２７で、放送番組の番号ｋが放送番組数のＮかどうか判断する。放送番組の番号ｋが放送番組数のＮであれば（ＳＴ２７のＹＥＳ）、放送番組の番号ｋを１に戻す。その後ＳＴ２６に戻り、ループキー６１を最初に押したときに表示した放送番組が表示される。
放送番組の番号ｋが放送番組数のＮでなければ（ＳＴ２７のＮＯ）、ＳＴ２５に戻る。
【００３７】
なお、図５のフローでは示していないが、放送番組検索処理が制御部３内の図示しないタイマーにより起動した場合には、この処理はいったん終了し、図５で示す放送番組表示処理を最初からやり直す。また、図５のフローでは示していないが、図３で示したように、放送番組名の一覧をＯＳＤ画像で表示すると共に、現在出力している放送番組をハイライト表示しても良い。また、ＯＳＤ画像による表示を解除するキーをリモコン６に設けてもよい。この解除キーが押されると、制御部３は、図４のＳＴ１４で示したＯＳＤ表示を消すとともに、図５のフローを終了させる。
【００３８】
次に、図６〜図８を用いて、第１の実施形態の応用に係る第２の実施形態の液晶テレビ１について説明する。この実施形態の装置の構成は、第１の実施形態の液晶テレビ１とほぼ同じであり、以上の説明を準用する。また、図２で示したキーワード設定処理も同じなので、第１実施形態の説明を準用する。
【００３９】
ただし、構成上、受信部２が２つの放送番組を同時に受信することと、映像処理部３３が同時に受信した２つの放送番組を親子画面で各々表示することと、放送番組検索処理、放送番組表示処理が異なる。この親子画面は、全画面表示の親画面の一部に重ねて表示するものでも良いし、互いに分離して親画面、子画面を表示するものでも良い。いずれにせよ、子画面は、親画面より小さい表示領域とする。以下の説明についても同様にこれらの表示のうちいずれかが適用できる。
【００４０】
以下、図６〜図８を用いて、制御部３が実行する放送番組検索処理、放送番組表示処理について説明する。図６〜図８は、第１の実施形態の装置の図３~図５に対応している。
【００４１】
図６のフロー図を用いて、放送番組検索処理について説明する。
図６（Ａ）は、放送番組検索処理を行った場合の表示例を示している。図６（Ａ）に示すように、制御部３は、現在画面上に出力していない放送番組で、キーワード「映画」に合致する放送番組が放映されている旨のＯＳＤ画像を出力する。例えば、「タイタニック」、「００７」、「宝島」がキーワード「映画」に合致した場合には、「キーワード「映画」に３件ヒットしました。「タイタニック」、「００７」、「宝島」」と表示する。第２の実施形態が第１の実施形態と異なり、子画面で、キーワード「映画」に合致する放送番組の１つである「タイタニック」を表示する。このように表示するため、受信部２は、親画面で表示していた放送番組を受信すると共に、キーワードに合致する放送番組「タイタニック」を受信する。映像処理部３３は、キーワードに合致する放送番組「タイタニック」を子画面でＬＣＤパネル４に出力させる。
【００４２】
図６（Ｂ）、（Ｃ）は、放送番組検索処理を行った場合の表示例を示している。
図６（Ｂ）は、ループキー６１が押された場合の画面表示を示している。このループキー６１が押された場合には、キーワード「映画」に合致する放送番組で、図６（Ａ）で示した「タイタニック」以外の「００７」を表示する。
【００４３】
図６（Ｃ）は、図６（Ｂ）の状態から、ループキー６１がさらに押された場合の画面表示を示している。このループキー６１が押された場合には、キーワード「映画」に合致する放送番組で、図６（Ａ）で示した「タイタニック」、「００７」以外の「宝島」を表示する。その後、ループキー６１がさらに押された場合には、図６（Ａ）の画面に戻す。
【００４４】
図７を用いて、放送番組検索処理のフローについて説明する。このフローの実行は、図２のキーワード設定処理により予めキーワードが設定されていることが前提となる。また、このフローのＳＴ１１、ＳＴ１２、ＳＴ１３は、図３のＳＴ１１〜ＳＴ１３と同じであり、その説明を準用する。
【００４５】
図７のＳＴ１４１は、図３のＳＴ１４と対応している。キーワードに合致する放送番組があった場合には（ＳＴ１３のＹＥＳ）、ＳＴ１４１で、キーワードに合致する放送番組があったことをＯＳＤ表示する。
また、親画面のみで放送を出力している場合には、子画面を出現させ、子画面でキーワードに合致する放送番組の１つを表示する。すでに２つの放送を親子画面でそれぞれ出力している場合には、子画面の方をキーワードに合致する放送番組に切り換える。例えば、図６（Ａ）で示すようにＬＣＤパネル４に表示する。
【００４６】
図８を用いて、放送番組表示処理のフローについて説明する。この処理は、放送番組表示処理は、図７で示したキーワード検索処理のＳＴ１４１が実行されたことが前提となる。ＳＴ２１、Ｓ２２がない点、ＳＴ２６１が異なる点以外は、図５で示した第１の実施形態の液晶テレビ１と同じであり、以上の説明を準用する。
【００４７】
図８のフローでは、ＳＴ２１、ＳＴ２２に対応する表示は、図７のＳＴ１４１ですでに行っており、改めて表示する必要がない。ＳＴ２６１では、キーワードに一致する放送番組ｋを子画面で表示する。そして、ループキー６１が押されるごとに、キーワードに一致する放送番組のみが順繰り切り替わって表示される。これにより、１つのボタンを押すごとに、ユーザは、キーワードに合致する放送番組を子画面で順番に閲覧できる。
【００４８】
第２実施形態では、子画面でキーワードに合致する放送番組を表示している場合に、リモコン６のループキー６１とは異なる図示しない決定キーが押された場合に、子画面の放送番組を全画面で表示するように切り換えてよい。この切り換え方法としては、例えば、親子画面の表示をいったん消去すると共に、受信部２が選局し、子画面で出力した映像信号を全画面表示に切り換える。
【００４９】
なお、以上の実施形態では、本発明の実施形態としてＬＣＤパネル４を有する液晶テレビ１について説明したが、受信部２と、電子番組表を受信する構成と、これらを制御する制御部３、受信した映像信号を出力する構成があれば本発明の実施形態とすることができる。
【００５０】
また、以上で示した「映画」、「タイタニック」、「００７」、「宝島」は例示に過ぎず、キーワードは「映画」に限らないし、キーワードに合致するものは、電子番組表によるものであり、「タイタニック」等に限らない。
【００５１】
また、電子番組表の取得方法としては、放送の合間、例えばＶＢＩ（Vertical Blanking Interval）に受信するものでも良いし、インターネットからダウンロードするものでも良い。
【００５２】
また、以上では、アナログテレビジョン受像機として説明したが、地上波デジタルの電波を受信してＴＳ（トランスポートストリーム）等のデジタルストリームを復調するものでもよい。この場合には、デジタルストリームのパケットに電子番組表のデータが含まれており、これをデコードして電子番組表を取得する。
【図面の簡単な説明】
【００５３】
【図１】第１実施形態の放送受信装置の構成図
【図２】第１実施形態の放送受信装置の画面表示例
【図３】第１実施形態の放送受信装置のキーワード設定処理のフロー図
【図４】第１実施形態の放送受信装置の放送番組検索処理のフロー図
【図５】第１実施形態の放送受信装置の放送番組表示処理のフロー図
【図６】第２実施形態の放送受信装置の画面表示例
【図７】第２実施形態の放送受信装置の放送番組検索処理のフロー図
【図８】第２実施形態の放送受信装置の放送番組表示処理のフロー図
【符号の説明】
【００５４】
１−液晶テレビ、  ２−受信部、  ３−マイコン、
３０−制御部、  ３１−メモリ、  ３２−ＲＯＭ、  ３３−映像処理部、
４−ＬＣＤパネル、  ５−リモコン受光器、  ６−リモコン、  ６１−ループキー、
１０１−アンテナ
【図１】
2008227776.tif 000003
【図２】
2008227776.tif 000004
【図３】
2008227776.tif 000005
【図４】
2008227776.tif 000006
【図５】
2008227776.tif 000007
【図６】
2008227776.tif 000008
【図７】
2008227776.tif 000009
【図８】
2008227776.tif 000010